(57)【要約】【課題】製造コストが低く、動作が確実であり、操作フィーリングが良く、品質感を損なうことがないスイッチ構造を提供すること。【解決手段】スイッチ構造１は、押圧により回動する押釦部３と、押釦部３により機械的にＯＮ／ＯＦＦされるスイッチ要素５と、押釦部３を支持するとともに、押釦部３の動作をガイドする支持部材７と、押釦部３の動作をガイドする外側ガイド部９を備えている。押釦部３は、スイッチ要素５をＯＮ／ＯＦＦするための押杵部２５を備えており、その押杵部２５には、支持部材７や外側ガイド部９に当接して撓むことができるように、板厚を周りよりも薄くした部分である可撓部２７が設けられている。【選択図】　図２
2004039592.tif 000002
【特許請求の範囲】
【請求項１】
押圧により回路のスイッチング動作を行うスイッチ要素と、
支持部材に揺動可能に取り付けられ、前記スイッチ要素を押圧する押杵部が一体に形成された押釦部と、を備え、
前記押釦部が押圧により揺動した際に、前記押杵部が前記スイッチ要素を押圧してスイッチング動作を行うスイッチ構造において、
前記押杵部に、前記押圧時に撓むことができる可撓部を備え、
前記押釦部が押圧により揺動した際に、前記押杵部と当接して前記可撓部を撓ませるとともに、前記押杵部が前記スイッチ要素を押圧するように案内するガイド部を備えたことを特徴とするスイッチ構造。
【請求項２】
前記押釦部は、前記支持部材に対し、ヒンジを介して取り付けられていることを特徴とする前記請求項１に記載のスイッチ構造。
【請求項３】
前記押圧時における前記押圧方向に関して、前記ヒンジと前記スイッチ要素との距離は、前記可撓部の中心と前記スイッチ要素との距離と、略等距離であることを特徴とする前記請求項２に記載のスイッチ構造。
【請求項４】
前記押釦部は、前記支持部材に対し、回動可能に取り付けられていることを特徴とする前記請求項１に記載のスイッチ構造。
【請求項５】
前記押圧時における前記押圧方向に関して、前記回動における回動軸と前記スイッチ要素との距離は、前記可撓部の中心と前記スイッチ要素との距離と、略等距離であることを特徴とする前記請求項４に記載のスイッチ構造。
【請求項６】
前記可撓部は、前記押杵部において、その周囲よりも断面積が小さくなっている部分であることを特徴とする前記請求項１〜５のいずれかに記載のスイッチ構造。
【請求項７】
前記ガイド部は、前記押圧時に、前記押杵部から押しつけ力を受ける側にのみ設けられていることを特徴とする前記請求項１〜６のいずれかに記載のスイッチ構造。
【請求項８】
前記ガイド部は、前記押圧時に、前記押杵部から押しつけ力を受ける側と、前記押杵部を挟んで、その反対側とに設けられていることを特徴とする前記請求項１〜６のいずれかに記載のスイッチ構造。
【請求項９】
相互に連結されるとともに、それぞれ独立して揺動可能な複数の前記押釦部を備え、
前記それぞれの押釦部に対応して前記スイッチ要素及び前記ガイド部を設けたことを特徴とする前記請求項１〜８のいずれかに記載のスイッチ構造。
【請求項１０】
前記押釦部を照明する光源部を、スイッチ要素の内部に備えるとともに、
前記ガイド部は、前記光源部が発する照明光を、前記押釦部に反射する反射面を備えることを特徴とする前記請求項１〜９のいずれかに記載のスイッチ構造。
【請求項１１】
前記支持部材と前記ガイド部とが一体に形成されていることを特徴とする前記請求項１〜１０のいずれかに記載のスイッチ構造。
【請求項１２】
前記スイッチ要素として、スイッチ要素Ａ及びスイッチ要素Ｂを備えるとともに、
前記押釦部は、前記押杵部として、前記スイッチ要素Ａを押圧する押杵部Ａ及び前記スイッチ要素Ｂを押圧する押杵部Ｂを備え、
前記押釦部が、前記スイッチ要素Ａを押圧するように揺動した際には、前記押杵部Ａが前記スイッチ要素Ａを押圧し、
前記押釦部が、前記スイッチ要素Ｂを押圧するように揺動した際には、前記押杵部Ｂが前記スイッチ要素Ｂを押圧することを特徴とする前記請求項１〜１１のいずれかに記載のスイッチ構造。
【発明の詳細な説明】
【０００１】
【発明の属する技術分野】
本発明は、例えば、車載用のエアコン、オーディオ等の操作スイッチパネルに用いられるスイッチ構造に関する。
【０００２】
【従来の技術】
従来より、車載用のエアコン、オーディオ等の操作スイッチパネルにおいて、図１２に示す構造のスイッチ構造が用いられてきた。
このスイッチは、支持部材Ｐ１に対し、回動軸Ｐ３を中心に回動可能に取り付けられた押釦部Ｐ５と、押釦部Ｐ５が回動した際には、ガイド部Ｐ７により案内されつつ、押釦部Ｐ５により奥に押し込まれる押杵部Ｐ９と、押し込まれた押杵部Ｐ９によりＯＮ／ＯＦＦされるスイッチ要素Ｐ１１とから構成される。
【０００３】
また、別のスイッチ構造として、図１３に示す様に、ヒンジＰ１３を介して支持部材Ｐ１に回動可能に取り付けられるとともに、押杵部Ｐ９と一体に形成された押釦部Ｐ５と、押杵部Ｐ９によりＯＮ／ＯＦＦされるスイッチ要素Ｐ１１とから構成されるものがある。
【０００４】
これらのスイッチ構造では、一般に、夜間照明のために、基板Ｐ１５に取り付けられた光源部Ｐ１７から、押釦部Ｐ５の裏側に光を照射するが、スイッチの製造コストを抑えるために、光源Ｐ１７は、複数のスイッチ構造に共用されることが多い。
【０００５】
その場合には、光源Ｐ１７は、他のスイッチ構造にも光を照射できるように、押釦部Ｐ５の真下からは離れた位置に設置されることになるので、光源部Ｐ１７から押釦部Ｐ５の裏側への光路を確保できるように、基板Ｐ１５と押釦部Ｐ５との距離が大きく設定される。
【０００６】
【発明が解決しようとする課題】
しかし、図１２に示すスイッチ構造では、押杵部Ｐ９と押釦部Ｐ５とが別部品であるので、それぞれの部品費、金型費、組み付け費が必要となり、製造コストが高くなるという問題があった。また、押釦部Ｐ５と押杵部Ｐ９との間で、戻り音が発生し、スイッチの質感を損なうという問題があった。
【０００７】
また、図１３に示すスイッチ構造では、押杵部Ｐ９は押釦部Ｐ５と一体であるので、押釦部Ｐ５の回動時における押杵部Ｐ９の動きは、スイッチ要素Ｐ１１の方向に真っ直ぐ移動するのではなく、ヒンジＰ１３を中心に回動する動きである。
【０００８】
そのため、図１４に示す様に、押釦部Ｐ５が回動し、押杵部Ｐ９がスイッチ要素Ｐ１１を押し込んだ時には、押杵部Ｐ９はスイッチ要素Ｐ１１に対して傾き、押杵部Ｐ９の先端は、スイッチ要素Ｐ１１の中心からずれてしまう。特に、光源Ｐ１７から押釦部Ｐ５への光路を確保するために、基板Ｐ１５と押釦部Ｐ５との距離を大きく設定し、それに伴って、押杵部Ｐ９が長い場合には、そのずれが大きくなる。
【０００９】
上記のように、押杵部Ｐ９がスイッチ要素Ｐ１１に対して傾いたり、押杵部Ｐ９の先端がスイッチ要素Ｐ１１の中心からずれると、スイッチ要素Ｐ１１の接点が導通しなかったり、操作フィーリングが悪くなるという問題があった。
また、押釦部Ｐ５の操作ストロークを短くすれば、押杵部Ｐ９のずれの問題は軽減できるが、その場合には、スイッチの操作フィーリングが良くないという問題が生じる。
【００１０】
本発明は以上の点に鑑みなされたものであり、製造コストが低く、動作が確実であり、操作フィーリングが良く、品質感を損なうことがないスイッチ構造を提供することを目的とする。
【００１１】
【課題を解決するための手段及び発明の効果】
（１）請求項１の発明では、押杵部に可撓部を備えており、押釦部が押圧により揺動した際に、押杵部がガイド部と当接して可撓部を撓ませるとともに、このガイド部に押杵部が案内されてスイッチ要素を押圧する。
【００１２】
これにより、押釦部の揺動により、押杵部が全体としてスイッチ要素に対して傾いたとしても、ガイド部に押杵部が当接して、可撓部において押杵部を屈曲させることにより、確実にスイッチ要素をＯＮ／ＯＦＦすることができ、また操作フィーリングにおいても優れている。
【００１３】
更に、押杵部を、押釦部の一部として一体に形成しているので、押杵部を別部品とする場合に比べて、製造コストを低減することができる。また、押釦部と押杵部との間に戻り音が生じ、スイッチ構造の品質感を損なう様なことがない。
・前記押杵部が前記スイッチ要素を押圧する際には、前記スイッチ要素の動作方向に対する前記押杵部の当接部分（前記スイッチ要素に当接する部分の近傍）の角度は、発明の効果（押杵部が、スイッチ要素を確実にＯＮ／ＯＦＦすることができ、操作フィーリングにおいて優れていること）を奏することができる範囲にある（例えば、スイッチ要素の動作方向に対し、押杵部の当接部が平行である）。
（２）請求項２の発明では、押釦部をヒンジを介して支持部材に取り付けているので、押釦部の一部を押圧することにより、そのヒンジを中心として、押釦部を揺動させることができる。
（３）請求項３の発明では、押圧方向に関して、押杵部の可撓部とスイッチ要素との距離が、ヒンジとスイッチ要素との距離とほぼ同じであるので、押釦部が回動した際に、（可撓部がヒンジよりスイッチ要素に近い場合に比べて）可撓部が大きく撓むことがない。そのことにより、押釦部を回動させるのに大きな操作力が必要なく、操作フィーリングが良好である。
【００１４】
また、可撓部の撓み量が小さいことにより、可撓部に大きな応力がかかることがなく、押杵部の耐久性が向上する。
・前記押圧方向とは、例えば、前記押釦部を押圧する方向、または、前記スイッチ要素を前記押杵部が押圧する方向である。
（４）請求項４の発明では、押釦部を支持部材に回動可能に取り付けているので、押釦部の一部を押圧することにより、その回動の軸を中心に、押釦部を回動させることができる。
（５）請求項５の発明では、押圧方向に関して、押杵部の可撓部とスイッチ要素との距離が、回動軸とスイッチ要素との距離とほぼ同じであるので、押釦部が回動した際に、（可撓部がヒンジよりスイッチ要素に近い場合に比べて）可撓部が大きく撓むことがない。そのことにより、押釦部を回動させるのに大きな操作力が必要なく、操作フィーリングが良好である。
【００１５】
また、可撓部の撓み量が小さいことにより、可撓部に大きな応力がかかることがなく、押杵部の耐久性が向上する。
（６）請求項６の発明は、可撓部を例示している。本発明における可撓部は、例えば、押杵部がガイド部に押し当てられた際に、スムーズに撓みを生じるので、押杵部は、例えば、ガイド部にぴったりと押しつけられ、ガイド部により定められた角度となる。
【００１６】
そのため、本発明のスイッチ構造は、スムーズに動作し、操作フィーリングに優れている。
（７）請求項７の発明では、ガイド部は、押釦部を押圧した際に、押杵部から押しつけ力を受ける側にのみ設けられているので、押杵部とガイド部との間に生じる摩擦力が小さい。そのため、本発明のスイッチ構造は、スムーズに動作することができ、操作フィーリングに優れている。
（８）請求項８の発明では、押圧時に、押杵部から押しつけ力を受ける側と、押杵部を挟んで、その反対側とにガイド部が設けられているので、押杵部を一層確実に案内することができる。
（９）請求項９の発明では、押釦部が相互に連結されているので、スイッチ構造の製造において、押釦部を個々に組み付ける必要が無く、連結された押釦部を組み付けるだけでよい。従って、本発明のスイッチ構造は、製造が容易である。
【００１７】
また、各押釦部に対応して、それぞれ、スイッチ要素及びガイド部が設けられているので、個々のスイッチ動作を独立して行うことができる。
（１０）請求項１０の発明では、光源部が放射する光を、ガイド部に設けられた反射面により押釦部に導く。従って、本発明のスイッチ構造では、光を反射する部材を独立に設ける必要がないので、製造が容易であり、また、製造コストを低減することができる。
（１１）請求項１１の発明では、支持部材とガイド部とが一体に形成されているので、それらを別々の部品として組み付ける必要がない。
【００１８】
そのため、本発明のスイッチ構造は、製造が容易であり、また、製造コストを低減することができる。
（１２）請求項１２の発明では、１つのスイッチ構造により、２つのスイッチ要素であるスイッチ要素Ａ及びスイッチ要素ＢをＯＮ／ＯＦＦすることができるので、２個のスイッチ構造を設ける場合に比べて、製造コストを低減することができる。また、スイッチ構造を設置するためのスペースを低減することができる。
【００１９】
【発明の実施の形態】
以下に本発明のスイッチ構造の実施の形態の例（実施例）を説明する。
（実施例１）
ａ）まず、本実施例１のスイッチ構造の構成を、図１〜図４を用いて説明する。尚、図１は、車載エアコンのスイッチパネルの外観図であり、図２は、スイッチ構造の側断面図であり、図３及び図４は、スイッチ構造を構成する部品の斜視図である。
【００２０】
本実施例１のスイッチ構造１は、図１に示す車載エアコンのスイッチパネルに用いられている。つまり、このスイッチパネルは、エアコンの各種の動作を指示する（例えばファン等の）複数のスイッチを備えており、本実施例１のスイッチ構造１は、それらのスイッチに用いられている。
【００２１】
本実施例１のスイッチ構造１は、図２に示す様に、押圧により回動する押釦部３と、押釦部３により機械的にＯＮ／ＯＦＦされるスイッチ要素５と、押釦部３を支持するとともに、押釦部３の動作をガイドする支持部材７と、押釦部３の動作をガイドする外側ガイド部９と、押釦部３に光を放射する光源部１１と、スイッチ構造１の表面を覆うカバー１３と、スイッチ要素５及び光源部１１を支持する基板１５と、から構成される。
【００２２】
上記押釦部３は、図３に示す様に、中空の箱状部材である押部１７を備えている。この押部１７は、その正面側（図２における右側）に、光源部１１が放射する光を透過させる窓である光透過部１９を備えている。
また、押釦部３は、押部１７の一方の端部に設けられたヒンジ２１と、このヒンジ２１に対し、押部１７とは反対側に設けられた板状部材である固定端２３とを備えている。
【００２３】
更に、押釦部３は、押部１７におけるヒンジ２１とは反対側の端部に、基板１５に対し垂直に立設された板状部材である押杵部２５を備えている。この押杵部２５には、板厚を周りよりも薄くすることにより剛性を低下させている可撓部２７が設けられている。この可撓部２７の基板１５からの距離は、ヒンジ２１と基板１５との距離と同じとなるように設定されている。また、押杵部２５において、先端側の部分である当接部２９は、支持部材７と外側ガイド部９の間に挟まれている。
【００２４】
上記スイッチ要素５は、基板１５上に設けられた半球型のスイッチ本体３１と、スイッチ本体３１を覆うラバー部３３とから構成される。このラバー部３３は、スイッチ本体３１の形状に対応した半球型のドーム部３５を備えており、このドーム部３５が、スイッチ本体３１を覆っている。
【００２５】
このスイッチ要素５において、スイッチ本体３１の部分は、押杵部２５の延長線上に位置しており、押杵部２５がドーム部３５を正面側（図２における右方向）から押圧した際に、スイッチ本体３１のＯＮ／ＯＦＦが切り替わる。
上記支持部材７は、図２及び図４に示す様に、断面が略正方形の筒状部材であり、押部１７の内側に収容されている本体部３７を備えている。この本体部３７の内側の面には、光源部１１が放射する光を反射するための反射面３９が設けられている。
【００２６】
また、支持部材７は、本体部３７の一方の端部から上方（図２における上方）に延設された支持部４１を備えている。この支持部４１の正面側には、互いに平行に立設された２枚の板状部材から成る嵌合部４３を備えおり、この嵌合部４３には、押釦部３の固定端２３が嵌め込まれている。支持部４１の裏面（図２における左側の面）には、光源部１１が放射する光を散乱させるための散乱面４５が設けられている。
【００２７】
更に、支持部材７は、本体部３７における支持部４１とは反対側の端部に、基板１５に対し垂直に（押杵部２５と平行に）立設された板状部材である内側ガイド板４７（ガイド部）を備えている。
上記外側ガイド部は、押杵部２５の下側に、押杵部２５と平行に設けられた板状部材である外側ガイド板４９を備えている。この外側ガイド板４９と、支持部材７の内側ガイド板４７とは、押杵部２５の摺動が可能な隙間を残しつつ、押杵部２５における当接部２９を両側から挟み込んでいる。
【００２８】
上記光源部１１は、ランプ５１と、光源本体５３とから構成され、基板１５に設けられた光源取り付け孔５４に、ランプ５１が支持部４１の裏側に面するように取り付けられている。このランプ５１は、夜間照明用のランプである。
上記カバー１３は、開口部５５を備えた板状部材であり、開口部５５において押部１７を正面側に露出しつつ、スイッチ構造１の正面側の外殻を構成している。また、カバー１３は、支持部材７の支持部４１とともに、固定端２３を挟み込み、押釦部３の脱落を防止している。
【００２９】
上記基板１５には、上述したように、スイッチ要素５及び光源部１１が取り付けられている。
ｂ）次に、本実施例１のスイッチ構造１の動作を図５を用いて説明する。
押部１７を矢印方向に押圧すると、押釦部３はヒンジ２１を中心として、時計回りに回動する。この時、回動につれて、押杵部２５は、内側ガイド板４７に対し、傾いてゆく。
【００３０】
押釦部３の回動が進むと、やがて、押杵部２５の当接部２９は、その側面において、内側ガイド板４７に当接する。
押釦部３の回動が更に進むと、当接部２９に対し内側ガイド部４７から力が加わるので、押杵部２５の可撓部２７に撓みが生じ、当接部２９は、内側ガイド板４７にぴったりと押しつけられた状態となる。この時、内側ガイド板４７は基板１５に対して垂直であるので、当接部２９も、基板１５に対して垂直となる。
【００３１】
また、当接部２９は、押釦部３の回動が進むにつれて、内側ガイド板４７の表面に沿って摺動しつつ、スイッチ要素５に近づいてゆく。
つまり、押釦部３の回動の際に、当接部２９は、内側ガイド板４７により一定の軌跡を通るように案内され、基板１５に対し垂直な角度を維持したまま、スイッチ要素５に近づく。
【００３２】
押杵部２５の当接部２９は、やがて、スイッチ要素５のラバー部３３の中心部を押圧し、スイッチ要素５のＯＮ／ＯＦＦが切り替わる。
ｃ）次に、本実施例１のスイッチ構造１の奏する効果を説明する。
▲１▼本実施例１のスイッチ構造１では、押杵部２５の当接部２９は、内側ガイド板４７に案内されることにより、一定の軌跡を通り、基板１５に対して垂直（スイッチ要素５の動作方向に対し平行）の角度を保ったまま、ラバー部３３の中心部を押圧する。そのため、本実施例１のスイッチ構造１では、確実にスイッチ要素５をＯＮ／ＯＦＦすることができる。
【００３３】
また、当接部２９は、スイッチ要素５のラバー部３３を、その真上方向から押圧するので、ラバー部３３の全周が均等に屈曲し、操作フィーリングにおいて優れている。
▲２▼本実施例１のスイッチ構造１では、押部１７と押杵部２５とは、一体の押釦部３として形成されているので、それらを別部品とする場合に比べて、製造コストを低減することができる。また、押部１７と押杵部２５とが一体であるので戻り音が生じず、スイッチ構造の品質感を損なう様なことがない。
【００３４】
▲３▼本実施例１のスイッチ構造１では、押杵部２５の可撓部２７と基板１５との間の距離が、ヒンジ２１と基板１５との間の距離とほぼ同じであるので、押釦部３が回動した際に、（距離の差が大きい場合に比べて）可撓部２７が大きく撓むことがない。そのことにより、押釦部３を回動させるのに大きな操作力が必要なく、操作フィーリングが良好である。
【００３５】
また、可撓部２７の撓み量が小さいことにより、可撓部２７に大きな応力がかかることがなく、押杵部２５の耐久性が向上する。
▲４▼本実施例１のスイッチ構造１では、内側ガイド板４７を、支持部材７の一部として一体に形成しているので、内側ガイド板４７を別部品として設ける必要が無い。そのことにより、スイッチ構造１の製造コストを低減することができる。
【００３６】
また、本実施例１のスイッチ構造１では、光源部１１が放射する光を、支持部材７に設けた散乱面４５や反射面３９により、押部１７の光透過部１９に導く。そのため、光源部１１が放射する光を散乱するための部材や反射するための部材を、別部品として設けなくてもよいので、スイッチ構造１の製造コストを低減することができる。
（実施例２）
ａ）本実施例２のスイッチ構造１の構成を図６及び図７を用いて説明する。この図６はスイッチ構造１の側断面図であり、また、図７はスイッチ構造１の斜視図である。尚、前記実施例１と同様の部分はその記載を省略する。
【００３７】
本実施例２のスイッチ構造１は、押圧により回動する押釦部３と、押釦部３の動作をガイドする内側ガイド部５７と、スイッチ構造１の筐体であるケース５８と、押釦部３によりＯＮ／ＯＦＦされる一対のスイッチである上側スイッチ要素５９（スイッチ要素Ａ）及び下側スイッチ要素６１（スイッチ要素Ｂ）と、押釦部３に光を放射する光源部１１と、上側スイッチ要素５９、下側スイッチ要素６１、及び光源部１１を支持する基板１５とから構成される。
【００３８】
上記押釦部３は、箱形の形状を有する押部１７を有している。この押部１７の正面側（図６における右側）の面である表面部６３は、図６に示す様に、中央がやや凹んだ形状に形成されており、表面部６３の上方の隆起部である上側隆起部６５と、表面部６３の下方の隆起部である下側隆起部６７とを備えている。
【００３９】
また、押部１７の左側（図６における手前側）の側面である左側面６９と、押部１７の右側の側面である右側面７１には、それぞれ、後述する回動軸９１を受ける軸受け穴７３が、設けられている。
更に、押部１７の上側（図６における上側）の側面である上側面７５の端部からは、板状部材である上側押杵部７７（押杵部Ａ）が、基板１５に対し垂直に延設され、また、押部１７の下側の側面である下側面７９の端部からは、同じく板状部材である下側押杵部８１（押杵部Ｂ）が、基板１５に対し垂直に延設されている。
【００４０】
この上側押杵部７７及び下側押杵部８１には、それぞれ、板厚を周りよりも薄くすることにより剛性を低下させている可撓部２７が設けられている。この可撓部２７の基板１５からの距離Ｌ１は、回動軸９１と基板１５との距離Ｌ２と近い値（例えば、Ｌ１／Ｌ２の比率が、０．９５〜１．０５）となるように設定されている。また、上側押杵部７７及び下側押杵部８１において、先端側の部分である当接部２９は、後述するように、内側ガイド部５７と、一定の間隔をおいて、平行に配置されている。
【００４１】
また、押部１７は、その正面側（図６における右側）に、光源部１１が放射する光を透過させる窓である光透過部１９を備えている。
上記内側ガイド部５７は、断面が長方形の筒状部材であり、押釦部３の内側に収容されている。この内側ガイド部５７は、基板１５に近い部分であり、幅が広い部分である大径部８３と、正面側に近い部分であり、幅が狭い部分である小径部８５との２段構造となっている。そして、大径部８３において、上側の側面である上側ガイド面８７（押釦部の押圧時に、押杵部から押しつけ力を受ける側のガイド部）と、下側の側面である下側ガイド面８９（押釦部の押圧時に、押杵部から押しつけ力を受ける側のガイド部）とは、それぞれ、基板１５に対して垂直であり、押杵部２５の当接部２９に対し、一定の間隔をおいて、平行に配置されている。
【００４２】
また、内側ガイド部５７の手前側と奥側（図６における手前側と奥側）には、それぞれ、円柱形の回動軸９１が、基板１５と平行に、外向きに突出している。この回動軸９１は、押釦部３の軸受け穴７３に軸支される。
更に、内側ガイド部５７の内面には、光源部１１が放射する光を反射するための反射面３９が設けられている。
【００４３】
上記ケース５８は、長方形の板状部材であり、その中央に、長方形の窓である開口部９０を有する。このケース５８は、開口部９０において、押釦部３の押部１７を露出しつつ、スイッチ構造１の正面側を覆っている。
上側スイッチ要素５９は、基板１５上において、上側押杵部７７の延長線上に取り付けられており、下側スイッチ要素６１は、基板１５上において、下側押杵部８１の延長線上に取り付けられている。
【００４４】
また、上側スイッチ要素５９及び下側スイッチ要素６１は、前記実施例１におけるスイッチ要素５と同様の構成を有する。
上記光源部１１は、前記実施例１と同様の構成を有し、ランプ５１が押釦部３の中心に向くように、基板１５に取り付けられている。
【００４５】
上記基板１５には、上述したように、上側スイッチ要素５９、下側スイッチ要素６１、及び光源部１１が取り付けられている。
ｂ）次に、本実施例２のスイッチ構造１の動作を図８を用いて説明する。
押釦部３の上側隆起部６５を押圧すると、押釦部３は、回動軸９１を中心として、反時計回りに回動する。すると、上側押杵部７７の当接部２９は、内側ガイド部５７の上側ガイド面８７に当接し、可撓部２７の撓みにより、上側ガイド面８７にぴったりと密着する。この上側ガイド面８７は、上述したように、基板１５に対して垂直であるので、当接部２９も、基板１５に対して垂直となる。
【００４６】
また、押釦部３の反時計方向への回動に伴って、上側押杵部７７の当接部２９は、上側スイッチ要素５９の中心に向けて移動する。
つまり、押釦部３の反時計方向への回動に伴って、上側押杵部７７の当接部２９は、上側ガイド面８７に案内され、基板１５に垂直な状態のまま、上側スイッチ要素５９の中心に接近する。
【００４７】
当接部２９が上側スイッチ要素５９の中心を押圧すると、上側スイッチ要素５９のＯＮ／ＯＦＦが切り替わる。
押釦部３の下側隆起部６７を押圧した場合は、回動軸９１を中心に、押釦部３が時計回りに回動し、上記と同様にして、下側押杵部８１の当接部２９が、下側スイッチ要素６１をＯＮ／ＯＦＦする。
【００４８】
ｃ）次に、本実施例２のスイッチ構造１の奏する効果を説明する。
▲１▼本実施例２のスイッチ構造１では、上側隆起部６５が押圧された際には、上側押杵部７７の当接部２９は、内側ガイド部５７により一定の軌跡を通るように案内され、基板１５に対して垂直（上側スイッチ要素の動作方向に平行）の角度を保ったまま、上側スイッチ要素５９のラバー部の中心を押圧する。そのため、本実施例２のスイッチ構造１では、確実に上側スイッチ要素５９をＯＮ／ＯＦＦすることができる。また、同様に、下側隆起部６７が押圧された際には、確実に下側スイッチ要素６１をＯＮ／ＯＦＦすることができる。
【００４９】
更に、本実施例２では、当接部２９が、上側スイッチ要素５９及び下側スイッチ要素６１のラバー部の中心を真上方向から押圧するので、そのラバー部の全周が均等に屈曲し、操作フィーリングにおいて優れている。
▲２▼本実施例２のスイッチ構造１では、押部１７と上側押杵部７７と下側押杵部８１とは、一体の押釦部３として形成されているので、それらを別部品とする場合に比べて、製造コストを低減することができる。また、押部１７と上側押杵部７７との間や、押部１７と下側押杵部８１との間に戻り音が生じ、品質感を損なう様なことがない
▲３▼本実施例２のスイッチ構造１では、上側押杵部７７及び下側押杵部８１の可撓部２７と基板１５からの距離が、それぞれ、押釦部３の回動軸９１と基板１５との距離とほぼ同じであるので、押釦部３が回動した際に、（可撓部２７が基板１５に近い位置に設けられている場合に比べて）可撓部２７が大きく撓むことがない。そのことにより、押釦部３を回動させるのに大きな操作力が必要なく、操作フィーリングが良好である。
【００５０】
また、可撓部２７の撓み量が小さいことにより、可撓部２７に大きな応力がかかることがなく、押杵部２５の耐久性が向上する。
▲４▼本実施例２のスイッチ構造１では、光源部１１が放射する光を、内側ガイド部５７に設けた反射面３９により、押部１７の光透過部１９に導く。そのため、光源部１１が放射する光を反射するための部材を、別部品として設けなくてもよいので、スイッチ構造１の製造コストを低減することができる。
【００５１】
▲５▼本実施例２のスイッチ構造１では、押釦部３が回動する際に、上側押杵部７７に当接してその動作を案内するのは上側ガイド面８７のみであるので、上側押杵部７７に大きな摩擦力が働くことがない。また、同様に、下側押杵部８１にも、大きな摩擦力が働くことがない。
【００５２】
そのため、本実施例２のスイッチ構造１は、スムーズに動作することができる。
▲６▼本実施例２のスイッチ構造１は、２つのスイッチをＯＮ／ＯＦＦすることができるので、２個のスイッチ構造１を設ける場合に比べて、製造コストを低減することができる。また、スイッチ構造１を設置するためのスペースを低減することができる。
（実施例３）
本実施例３のスイッチ構造１は、基本的には、前記実施例１のスイッチ構造１とほぼ同様の構成を備えている。
【００５３】
ただし、本実施例３のスイッチ構造１では、図９に示す様に、押釦部３は、押部１７の上方に回動軸９３を備えている。そして、支持部材７は、その回動軸９３を回動可能に軸支する軸受け部９７を備えている。従って、押釦部３は、押部１７を押圧された際には、回動軸９３を中心として回動することができる。
【００５４】
本実施例３のスイッチ構造１は、前記実施例１のスイッチ構造１と同様の効果を奏する。
（実施例４）
ａ）まず、本実施例４のスイッチ構造１の構成を図１０を用いて説明する。
【００５５】
本実施例４のスイッチ構造１は、図１０に示す様に、複数の押釦部３を備えており、それら押釦部３は、固定端２３を共有することにより、相互に連結されている。尚、それぞれの押釦部３は、固定端２３以外は、前記実施例１の押釦部３と同様の構成を有する。
【００５６】
また、本実施例４のスイッチ構造１では、それぞれの押釦部３に対応するように、基本的には前記実施例１と同様の支持部材７、外側ガイド部９、及びスイッチ要素５が配置されている。このうち、支持部材７は、支持部４１の部分において相互に連結され、一体に形成されており、ガイド部９も一体に形成されている。
【００５７】
つまり、本実施例４のスイッチ構造１の構成は、前記実施例１のスイッチ構造１を、図２における紙面に垂直な方向に一列に並べ、押釦部３の固定端２３、支持部材７の支持部４１、及びガイド部９の部分において、相互に連結したものである。
【００５８】
また、本実施例４のスイッチ構造１では、１つの光源部１１を備えており、その光源部１１が、それぞれの押釦部３に光を供給する。
ｂ）本実施例４のスイッチ構造１の奏する効果を説明する。
▲１▼本実施例４のスイッチ構造１は、前記実施例１のスイッチ構造１と同様の効果を奏する。
【００５９】
▲２▼本実施例４のスイッチ構造１は、複数の押釦部３が共通の固定端２３を介して連結されている。
従って、本実施例４のスイッチ構造１では、製造時において、それら連結された押釦部３を、一度に組み付けることが出来るので、製造が容易である。
【００６０】
▲３▼本実施例４のスイッチ構造１では、支持部材７及びガイド部９が一体であり、光源部１１は１つを共有しているので、部品数を削減することができる。
（実施例５）
本実施例５のスイッチ構造１は、基本的には、前記実施例４のスイッチ構造１とほぼ同様の構成を備えている。
【００６１】
ただし、本実施例５のスイッチ構造１では、図１１に示す様に、複数の押釦部３の押杵部の間をライナー９９により連結している。
つまり、本実施例５のスイッチ構造１の構成は、前記実施例１のスイッチ構造１を、図２における紙面に垂直な方向に一列に並べ、ライナー９９により、押釦部３を相互に連結したものである。
【００６２】
本実施例５のスイッチ構造１は、前記実施例４のスイッチ構造１と同様の効果を奏する。
【図面の簡単な説明】
【図１】スイッチ構造を備えたスイッチパネルの説明図である。
【図２】実施例１のスイッチ構造の構成を示す説明図である。
【図３】実施例１のスイッチ構造における押釦部の構成を示す説明図である。
【図４】実施例１のスイッチ構造における支持部材の構成を示す説明図である。
【図５】実施例１のスイッチ構造の動作を示す説明図である。
【図６】実施例２のスイッチ構造の構成を示す説明図である。
【図７】実施例２のスイッチ構造の構成を示す説明図である。
【図８】実施例２のスイッチ構造の動作を示す説明図である。
【図９】実施例３のスイッチ構造の構成を示す説明図である。
【図１０】実施例４のスイッチ構造の構成を示す説明図である。
【図１１】実施例５のスイッチ構造の構成を示す説明図である。
【図１２】従来のスイッチ構造の構成を示す説明図である。
【図１３】従来のスイッチ構造の構成を示す説明図である。
【図１４】従来のスイッチ構造の動作を示す説明図である。
【符号の説明】
３・・・押釦部
５・・・スイッチ
７・・・支持部材
９・・・外側ガイド部
１１・・・光源部
１５・・・基板
１７・・・押部
２１・・・ヒンジ
２３・・・固定端
２５・・・押杵部
２７・・・可撓部
２９・・・当接部
３９・・・反射面
４５・・・散乱面
４７・・・内側ガイド板
４９・・・外側ガイド板
５１・・・ランプ
５７・・・内側ガイド部
５９・・・上側スイッチ要素
６１・・・下側スイッチ要素
７３・・・軸受け穴
７７・・・上側押杵部
８１・・・下側押杵部
８７・・・上側ガイド面
８９・・・下側ガイド面
９１・・・回動軸
９７・・・軸受け部
９９・・・ライナー
【図１】
2004039592.tif 000003
【図２】
2004039592.tif 000004
【図３】
2004039592.tif 000005
【図４】
2004039592.tif 000006
【図５】
2004039592.tif 000007
【図６】
2004039592.tif 000008
【図７】
2004039592.tif 000009
【図８】
2004039592.tif 000010
【図９】
2004039592.tif 000011
【図１０】
2004039592.tif 000012
【図１１】
2004039592.tif 000013
【図１２】
2004039592.tif 000014
【図１３】
2004039592.tif 000015
【図１４】
2004039592.tif 000016